(57)【要約】【課題】ホッパーユニットにコインを補充するに際し、遊技者が受ける煩わしさを軽減する。【解決手段】本発明の一実施形態に係る回胴式遊技機は、複数の回胴を備える回胴式遊技機であって、筐体内部に設置され、コインが貯蔵されるホッパーユニットと、前記複数の回胴を遊技者に視認させるための窓部を有し、前記筐体内部を閉じた状態である第１の位置と、前記筐体内部を開いた状態である第２の位置との間で前記筐体に対してスライド移動可能に設けられた前面扉とを備え、前記前面扉が前記第２の位置にある場合、該前面扉のスライド移動により形成された開口を通じて、前記筐体外部から前記ホッパーユニットへコインの補給が可能になる。【選択図】図３
2017123970.tif 000002
【特許請求の範囲】
【請求項１】
複数の回胴を備える回胴式遊技機であって、
筐体内部に設置され、コインが貯蔵されるホッパーユニットと、
前記複数の回胴を遊技者に視認させるための窓部を有し、前記筐体内部を閉じた状態である第１の位置と、前記筐体内部を開いた状態である第２の位置との間で前記筐体に対してスライド移動可能に設けられた前面扉とを備え、
前記前面扉が前記第２の位置にある場合、該前面扉のスライド移動により形成された開口を通じて、前記筐体外部から前記ホッパーユニットへコインの補給が可能になること、
を特徴とする回胴式遊技機。
【発明の詳細な説明】
【技術分野】
【０００１】
本発明は、回胴式遊技機に関する。
【背景技術】
【０００２】
回胴式遊技機は、筐体内部にコインを貯蔵するためのホッパーユニットを備えている。遊技中、ホッパーユニット内のコインが無くなると、遊技施設のスタッフが筐体の前面扉を開け、ホッパーユニットにコインを補充する（特許文献１参照）。
【先行技術文献】
【特許文献】
【０００３】
【特許文献１】特開２００９−２６１６５２号公報
【発明の概要】
【発明が解決しようとする課題】
【０００４】
従来、前述の前面扉は手前水平方向に開閉する。このため、遊技者が着席したままの状態で前面扉を開くのは難しく、スタッフが筐体の前面扉を開ける際、遊技者は一旦席から立ち退く必要がある。よって、ホッパーエラー発生時等、スタッフが筐体の前面扉を開けるたびに、遊技者は何度も席を立ち退かなくてはならず、煩わしさを感じることがあった。
【０００５】
本発明は、上記の点に鑑み提案されたものであり、その目的として、一つの側面では、ホッパーユニットにコインを補充するに際し、遊技者が受ける煩わしさを軽減することにある。
【課題を解決するための手段】
【０００６】
本発明の一態様に係る回胴式遊技機は、複数の回胴を備える回胴式遊技機であって、筐体内部に設置され、コインが貯蔵されるホッパーユニットと、前記複数の回胴を遊技者に視認させるための窓部を有し、前記筐体内部を閉じた状態である第１の位置と、前記筐体内部を開いた状態である第２の位置との間で前記筐体に対してスライド移動可能に設けられた前面扉とを備え、前記前面扉が前記第２の位置にある場合、該前面扉のスライド移動により形成された開口を通じて、前記筐体外部から前記ホッパーユニットへコインの補給が可能になる。
【発明の効果】
【０００７】
本発明の実施形態によれば、一つの側面では、ホッパーユニットにコインを補充するに際し、遊技者が受ける煩わしさを軽減することができる。
【図面の簡単な説明】
【０００８】
【図１】本発明の一実施形態に係る回胴式遊技機の外観構成を示す斜視図である。
【図２】本発明の一実施形態に係る上部フロントパネル及び下部フロントパネルを開けた状態を示す図である。
【図３】本発明の一実施形態に係る上部フロントパネルを垂直方向へスライドした状態を示す図である。
【図４】本発明の一実施形態に係る上部フロントパネル及び下部フロントパネル閉じた状態でパチスロ機を上方からみた平面図である。
【図５】本発明の一実施形態に係る上部フロントパネルを筐体から外した状態でパチスロ機を上方からみた平面図である。
【図６】本発明の一実施形態に係る上部フロントパネルを筐体から外した状態でパチスロ機をみた斜視図である。
【図７】本発明の一実施形態に係る上部フロントパネル及び下部フロントパネルを開いた状態でパチスロ機を上方からみた平面図である。
【図８】本発明の一実施形態に係る上部フロントパネル及び下部フロントパネルを閉じた状態でパチスロ機を右側方からみた右側面図である。
【図９】本発明の一実施形態に係る上部フロントパネルを垂直方向にスライドさせた状態でパチスロ機を右側方からみた右側面図である。
【図１０】本発明の一実施形態に係るガイド部材の構成を示す図である。
【図１１】本発明の一実施形態に係るガイド部材とロック機構の配置を示す右側面図である。
【図１２】本発明の一実施形態に係るロック機構によるロック状態を示す右側面図である。
【図１３】本発明の一実施形態に係るロック機構のロック解除状態を示す右側面図である。
【発明を実施するための形態】
【０００９】
以下、図面を参照して、本発明を実施するための形態について説明する。
【００１０】
（回胴式遊技機）
図１は、本発明の一実施形態に係る回胴式遊技機の外観構成を示す斜視図である。回胴式遊技機（以下、「パチスロ機」という）１０は、所謂パチスロなどと称されるゲーム遊技装置であり、入賞判定ライン上の停止図柄の組合せによってコインの獲得数を増やすことを楽しむものである。
【００１１】
まず、パチスロ機１０の筐体２０の正面には、筐体２０の上部正面を覆う上部フロントパネル（上部前面扉）３０と、筐体２０の下部正面を覆う下部フロントパネル（下部前面扉）４０とが、各々が水平方向に対して開閉動作可能に取り付けられている。
【００１２】
さらに、上部フロントパネル３０は、窓部３３を有し、後述するように垂直方向にスライド可能に支持される。但し、遊技者が遊技を行う際、上部フロントパネル３０は、図１の通り、筐体２０の正面開口を塞ぐ位置に係止機構３１、４１によりロックされて、下部フロントパネル４０とともに閉じられる。この上部フロントパネル３０及び下部フロントパネル４０を筐体２０の正面に係止する係止機構３１、４１は、遊技施設のスタッフ等に配布されたキーによって係止解除される。
【００１３】
図２は、本発明の一実施形態に係る上部フロントパネル及び下部フロントパネルを開けた状態を示す図である。
【００１４】
図２に示されるように、上部フロントパネル３０の筐体２０内部には、３個のリール（回胴）３２ａ、３２ｂ、３２ｃが設けられており、下部フロントパネル４０の筐体２０内部には、コインを貯蔵するためのホッパーユニット４２が設けられている。上部フロントパネル３０が基準位置にある（図１の状態）際に、窓部３３から、リール３２ａ、３２ｂ、３２ｃを視認することができる。
【００１５】
上部フロントパネル３０及び下部フロントパネル４０は、例えば、パチスロ機１０のメンテナンスを行う際など、筐体２０の、向かって右側面に配された係止機構３１、４１（図１）をスタッフが所持するキーにより解錠することで開放可能となる。
【００１６】
また、上部フロントパネル３０及び下部フロントパネル４０は、筐体２０の、向かって左側面に取り付けられたヒンジ５０（非図示、後述する）により、水平方向に回動可能に支持されている。なお、上部フロントパネル３０及び下部フロントパネル４０は、メンテナンスが必要な個所に応じて、何れか一方のみをそれぞれ個別に開放させることも可能である。
【００１７】
また、上部フロントパネル３０は、背面側に配置されたガイド部材６０（非図示、後述する）により、垂直方向に移動可能に支持されている。
【００１８】
図３は、本発明の一実施形態に係る上部フロントパネルを垂直方向上方へスライドした状態を示す図である。
【００１９】
遊技者は、遊技中にホッパーエラーが発生すると、スタッフを呼んでコインの補充を要請する。このときスタッフは、上部フロントパネル３０の係止機構３１を解錠し、上部フロントパネル３０を垂直方向にスライドさせることができる。
【００２０】
スタッフが上部フロントパネル３０を垂直方向上方にスライドさせると、筐体２０の内部に設けられたホッパーユニット４２のコイン補給口４３が、上部フロントパネル３０の下端と下部フロントパネル４０の上端との間に形成された開口（窓）によって開放される。
【００２１】
また、上部フロントパネル３０は、後述するロック機構により所定高さに上昇した位置でロックされるため、スタッフが手を離しても勝手に降下しないように保持される。
【００２２】
図４は、本発明の一実施形態に係る上部フロントパネル及び下部フロントパネルを閉じた状態でパチスロ機を上方からみた平面図である。図１のパチスロ機を上方からみた図ともいえる。
【００２３】
図４に示されるように、筐体２０の前面には、上部フロントパネル３０がヒンジ５０により水平方向に回動可能に支持されている。
【００２４】
また、上部フロントパネル３０の左右側部は、上方からみてＬ字状に形成されたガイド部材６０（左側垂直ガイド部６０ａ及び右側垂直ガイド部６０ｂ）により、垂直方向にのみスライド可能にガイドされる。このうち左側垂直ガイド部６０ａは、ヒンジ５０を介して筐体２０の、向かって左側面に取り付けられている。また、右側垂直ガイド部６０ｂは、前述の係止機構３１により筐体２０の、向かって右側縁部に係止されている。
【００２５】
遊技者が遊技している間、上部フロントパネル３０及び下部フロントパネル４０は、前述の係止機構３１、４１により、閉じた位置に係止される。
【００２６】
図５は、本発明の一実施形態に係る上部フロントパネルを筐体から外した状態でパチスロ機を上方からみた平面図である。また図６は、本発明の一実施形態に係る上部フロントパネルを筐体から外した状態でパチスロ機をみた斜視図である。
【００２７】
上述したように上部フロントパネル３０は、通常ガイド部材６０と左側側面の凹部３０ａ及び右側側面の凹部３０ｂに係合されることで筐体２０に嵌め込まれているが、図５、６に示されるように、垂直方向上方にスライドさせることによって筐体２０から取り外すことも可能である。
【００２８】
なお、図５に示されるように、上部フロントパネル３０が筐体２０から取り外された場合、パチスロ機１０を上方からみると下部フロントパネル４０がみえてくる。
【００２９】
図７は、本発明の一実施形態に係る上部フロントパネル及び下部フロントパネルを開いた状態でパチスロ機を上方からみた平面図である。図２のパチスロ機を上方からみた図ともいえる。
【００３０】
図７に示されるように、パチスロ機１０のメンテナンスを行う際、スタッフは筐体２０の右側方から前述の係止機構３１、４１の係止をまず解除する。
【００３１】
続いて、上部フロントパネル３０及び下部フロントパネル４０を左側に取り付けられたヒンジ５０を支点として水平方向に少なくとも９０度の角度に回動操作する。これにより、筐体２０の前面が全開されて内部が露出し、メンテナンス作業が行える。
【００３２】
メンテナンス作業が終了した後は、上部フロントパネル３０及び下部フロントパネル４０を筐体２０の前面側を閉じる位置に回動させて係止機構３１、４１により再び係止する。
【００３３】
図８は、本発明の一実施形態に係る上部フロントパネル及び下部フロントパネルを閉じた状態でパチスロ機を右側方からみた右側面図である。図１のパチスロ機を右側方からみた図ともいえる。
【００３４】
図８に示されるように、ホッパーユニット４２は、筐体２０の底部に設置されている。また、ホッパーユニット４２のコイン補給口４３は、下部フロントパネル４０とほぼ同じ高さ位置となるように設けられている。
【００３５】
上部フロントパネル３０が筐体２０の前面を閉じる位置に係止された状態においては、ホッパーユニット４２は外部に露出せず、上部フロントパネル３０及び下部フロントパネル４０により閉塞された筐体内部に収納されている。
【００３６】
図９は、本発明の一実施形態に係る上部フロントパネルを垂直方向にスライドさせた状態でパチスロ機を右側方からみた右側面図である。図３のパチスロ機を右側方からみた図ともいえる。
【００３７】
図９に示されるように、スタッフはコインをホッパーユニット４２に補充する際、まず上部フロントパネル３０の係止機構３１を解錠の上、上部フロントパネル３０のロックを解除して上部フロントパネル３０の下端部を上方に持ち上げる。ロック解除方法については後述する。
【００３８】
スタッフが上部フロントパネル３０の下端部を持ち上げると、上部フロントパネル３０はガイド部材６０に保持されながら垂直方向上方にスライドする。そして上部フロントパネル３０が所定距離スライドされると、再びロックされて停止する。このロック動作についても後述する。
【００３９】
このように、上部フロントパネル３０が垂直方向上方にスライド操作されることで、下部フロントパネル４０の上端と上部フロントパネル３０の下端との間には、開口１００が形成される。スタッフは、開口１００からコインスコップ７０を用いて、コインをホッパーユニット４２に補充する。
【００４０】
スタッフは、コイン補充作業が完了すると、上部フロントパネル３０のロックを解除して上部フロントパネル３０を降下させる。上部フロントパネル３０は、ガイド部材６０に保持されながら垂直方向下方にスライドして降下し、再び元の閉位置にロックされる。
【００４１】
以上のように本実施形態に係るパチスロ機１０によれば、ホッパーエラー時、スタッフは、上部フロントパネル３０を垂直方向にスライド操作することで、筐体２０の正面を一部だけ開口し、ホッパーユニット４２へのコイン補充作業を円滑に行うことができる。このため、遊技者は席を立ち退く必要はなく席に座ったままの状態で、スタッフは開口１００からホッパーユニット４２へのコイン補充作業を迅速、容易及び円滑に行うことができる。また、遊技者にとって遊技が中断される時間が短縮されると共に、スタッフにとっては作業時間短縮や作業効率向上にもなる。
【００４２】
（ガイド部材）
図１０は、本発明の一実施形態に係るガイド部材の構成を示す図である。
【００４３】
ガイド部材６０は、正面からみるとＵ字状に形成されており（図１０（Ｂ））、その断面がＬ字状となるように設けられている（図１０（Ａ））。このＬ字状部分は、上部フロントパネル３０の左側側面の凹部３０ａ及び右側側面の凹部３０ｂに係合することで、上部フロントパネル３０に対して垂直上下方向のスライドをガイドする。
【００４４】
ガイド部材６０は、左側垂直ガイド部６０ａと、右側垂直ガイド部６０ｂと、水平連結部６６とを有する。水平連結部６６は、左側垂直ガイド部６０ａの下端と、右側垂直ガイド部６０ｂの下端とを連結する梁である。
【００４５】
また、左側垂直ガイド部６０ａおよび右側垂直ガイド部６０ｂの前面には、ロック用の凹部６８（凹部ａ及び凹部６８ｂ）が異なる２か所の高さ位置に対で設けられている（図１０（Ｂ）、（Ｃ））。ロック用の凹部６８については後述する。
【００４６】
図１１は、本発明の一実施形態に係るガイド部材とロック機構の配置を示す右側面図である。
【００４７】
図１１（Ａ）に示されるように、上部フロントパネル３０が下方に降下して前述の開口１００を閉じる位置にあるときは、上部フロントパネル３０はロック機構８０により凹部６８ｂの位置でロックされている。よって、上部フロントパネル３０を垂直方向にスライド操作する場合には、ロック機構８０のロックを解除する。
【００４８】
図１１（Ｂ）に示されるように、上部フロントパネル３０がガイド部材６０（図１１の場合、右側垂直ガイド部６０ｂ）にガイドされて垂直方向にスライド操作されると、上部フロントパネル３０は上方の凹部６８ａの位置でロック機構８０が係止される。これにより、上部フロントパネル３０が固定され、上部フロントパネル３０の下端と下部フロントパネル４０の上端との間にコイン補充のための開口１００が形成される。
【００４９】
（ロック機構）
図１２は、本発明の一実施形態に係るロック機構によるロック状態を示す右側面図である。
【００５０】
図１２に示されるように、ロック機構８０は、上部フロントパネル３０の背面側に設けられ、かつガイド部材６０の左側垂直ガイド部６０ａおよび右側垂直ガイド部６０ｂに対向する位置に設けられている。
【００５１】
ロック機構８０は、ロックアーム８１と、ロックアーム８１を支持する軸８２と、ロックアーム８１を凹部６８に係止する方向に押圧するトーションバネ８３と、凹部６８に嵌合する係止部８４と、ロック解除操作するための解除操作ピン８５とを有する。
【００５２】
軸８２は、上部フロントパネル３０に支持されており、ロックアーム８１の下端に貫通するように設けられている。従って、ロックアーム８１は、軸８２を中心に前後方向に回動可能に設けられている。
【００５３】
トーションバネ８３は、コイル状に形成されたコイル部と、コイル部の両端より半径方向に延在する一対の腕部とを有する。コイル部より下方に延びる一方の腕部は、ストッパ部９０に当接している。また、コイル部より上方に延びる他方の腕部は、ロックアーム８１の中間部に当接することで、ロックアーム８１をＢ方向に押圧する。
【００５４】
ロックアーム８１は、軸８２に取り付けられたトーションバネ８３のバネ力によりＢ方向に押圧される。係止部８４は、ロックアーム８１の上端に設けられ、トーションバネ８３のバネ力によりガイド部材６０（図１２の場合、右側垂直ガイド部６０ｂ）の凹部６８に嵌合する係止位置に保持される。上部フロントパネル３０は、ロックアーム８１が凹部６８に係止することにより、上記係止位置にロックされて上下方向の動作も規制される。
【００５５】
解除操作ピン８５は、ロックアーム８１の側面より左右方向に突出しており、上部フロントパネル３０の側面に形成された円弧形状の長穴を貫通している。スタッフは、上部フロントパネル３０の側面に突出する解除操作ピン８５の端部をＡ方向に回動操作することで、係止部８４が凹部６８から離脱する係止解除位置に回動操作する。
【００５６】
図１３は、本発明の一実施形態に係るロック機構のロック解除状態を示す右側面図である。
【００５７】
図１３に示されるように、ロック機構８０は、解除操作ピン８５の端部をＢ方向に回動操作することで、係止部８４が凹部６８から離脱する。そのため、上部フロントパネル３０は、ガイド部材６０（図１３の場合、右側垂直ガイド部６０ｂ）により左右両側をガイドされて垂直方向に移動可能となる。
【００５８】
このように、ロック機構８０によるロックが解除されると、上部フロントパネル３０を垂直方向にスライドすることができる。
【００５９】
上部フロントパネル３０が所定距離上昇したとき、ロック機構８０は、上位の凹部６８に係止部８４が嵌合して上部フロントパネル３０をロックする。これにより、上部フロントパネル３０が固定され、上部フロントパネル３０の下端と下部フロントパネル４０の上端との間にコイン補充のための開口１００が形成される（図３、図９、図１１（Ｂ））。
【００６０】
（総括）
以上のように、本実施形態に係るパチスロ機１０によれば、ホッパーエラー時、スタッフは、上部フロントパネル３０を垂直方向にスライド操作することで、筐体２０の正面を一部だけ開口し、ホッパーユニット４２へのコイン補充作業を円滑に行うことができる。このため、遊技者は席を立ち退く必要はなく席に座ったままの状態で、スタッフは開口１００からホッパーユニット４２へのコイン補充作業を迅速、容易及び円滑に行うことができる。また、遊技者にとって遊技が中断される時間が短縮されると共に、スタッフにとっては作業時間短縮や作業効率向上にもなる。即ち、本実施形態によれば、ホッパーユニットにコインを補充するに際し、遊技者が受ける煩わしさを軽減することが可能である。
【００６１】
なお、本発明の好適な実施の形態により、特定の具体例を示して本発明を説明したが、特許請求の範囲に定義された本発明の広範な趣旨及び範囲から逸脱することなく、これら具体例に様々な修正及び変更を加えることができることは明らかである。すなわち、具体例の詳細及び添付の図面により本発明が限定されるものと解釈してはならない。
【００６２】
例えば、本実施形態においては、上部フロントパネル３０及び下部フロントパネル４０を設け、このうち上部フロントパネル３０が垂直方向へスライドした。しかしながら、１つのフロントパネルが垂直方向へスライドするようにしてもよい。
【００６３】
また、上部フロントパネル３０は、垂直方向のみならず、左水平方向又は右水平方向にスライドすることも可能である。但しこの場合、パチスロ機は島設備の収容枠に設置されるため、隣のパチスロ機との間のスペースが十分確保できる場合に限られる。
【符号の説明】
【００６４】
１０        パチスロ機
２０        筐体
３３        窓部
４２        ホッパーユニット
１００      開口
【図１】
2017123970.tif 000003
【図２】
2017123970.tif 000004
【図３】
2017123970.tif 000005
【図４】
2017123970.tif 000006
【図５】
2017123970.tif 000007
【図６】
2017123970.tif 000008
【図７】
2017123970.tif 000009
【図８】
2017123970.tif 000010
【図９】
2017123970.tif 000011
【図１０】
2017123970.tif 000012
【図１１】
2017123970.tif 000013
【図１２】
2017123970.tif 000014
【図１３】
2017123970.tif 000015